(57)【要約】【課題】段差が形成されたシャッタを備えた磁気ディスクカートリッジにおいて、磁気ディスクカートリッジをドライブに挿入する際等に、シャッタに形成された段差によりデータエリアに傷がつけられることを防止する。【解決手段】樹脂製のフレーム２と、金属薄板からなる上下シェルハーフ３、４とによって構成されたハウジング内に、磁気ディスク５と、段差が設けられた上下シャッタハーフ１３、１４からなるロータリーシャッタ７とを回転自在に収容した磁気ディスクカートリッジ１において、上下シャッタハーフ１３、１４の磁気ディスク５側に位置する面１３ｃ、１４ｃと、段差面１３ｂ、１４ｂとの連接部１３ｄ、１４ｄを、磁気ディスク５のデータエリア面と直交する方向において、データエリア外に設ける。【選択図】          図２
2004295935.tif 000002
【特許請求の範囲】
【請求項１】
開口部が設けられたハウジング内に、
センタコアに固着されたフレキシブルな磁気ディスクと、
前記磁気ディスクの中心と略同位置を中心に回転して前記開口部を開閉するシャッタとを収容し、
前記シャッタの前記磁気ディスクのデータエリアを有する面と対向する一面が、前記ハウジング側に位置する面と、前記磁気ディスク側に位置する面と、両面を連接する段差面とを備えたものである磁気ディスクカートリッジにおいて、
前記磁気ディスク側に位置する面と前記段差面との連接部が、前記磁気ディスクのデータエリアを有する面と直交する方向において、前記データエリア外に設けられていることを特徴とする磁気ディスクカートリッジ。
【発明の詳細な説明】
【０００１】
【発明の属する技術分野】
本発明は、デジタルスチルカメラ、デジタルビデオカメラ、ノートパソコン等の電子機器のカードスロットに装填可能なカード型ディスクドライブに交換自在に装填可能な小型の磁気ディスクカートリッジに関するものである。
【０００２】
【従来の技術】
従来より、デジタルカメラ等のモバイル機器においては、記録媒体として例えば特許文献１に記載されているような、「ｃｌｉｋ！（登録商標）」と呼ばれる超小型の磁気ディスクカートリッジが使用されている。
【０００３】
この磁気ディスクカートリッジは、押込み部を含む樹脂製のフレームと、金属薄板からなる上下シェルハーフとによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスクを回転自在に収容したものである。
【０００４】
この磁気ディスクカートリッジのハウジングには、ドライブ装置が備えている磁気ヘッドを磁気ディスクの表面にアクセスさせるためのＶ字状の開口と、この開口を開閉する金属薄板からなるロータリーシャッタとが設けられている。このロータリーシャッタは、小径の細長いコイルばねによって閉方向にばね付勢されている。
【０００５】
また、ハウジングの左側面先端部には、ドライブ装置内の係合部に係合させて、ドライブ装置内での位置決めを確実にするためのノッチが形成され、右側面先端部には、ロータリーシャッタを閉位置にロックするシャッタロック部材を外部に臨ませる小窓が形成されている。
【０００６】
さらに、ハウジングの下シェルハーフには、磁気ディスクのセンタコアにドライブ装置の回転スピンドルを結合させるための円形の開口と、ロータリーシャッタと同心的な円弧状溝とが形成され、ロータリーシャッタには、上記円弧状溝から突出しかつこの円弧状溝に沿って移動してロータリーシャッタを開閉するシャッタノブが固設されている。
【０００７】
【特許文献１】
米国特許第６２５６１６８号公報
【０００８】
【発明が解決しようとする課題】
ところで、上記の「ｃｌｉｋ！（登録商標）」のロータリーシャッタには、ハウジングとの摺動面積を小さくするとともに、シャッタの強度を向上させるために、磁気ディスクの上下面と対向する各面に、ハウジング側に位置する面部と、前記磁気ディスク側に位置する面部と、両面を連接する段差面部とが形成されるように段差が設けられている。
【０００９】
しかしながら、このような段差を設けると、磁気ディスクカートリッジをドライブに挿入する際や、磁気ディスクカートリッジを落下させた際等に、ロータリーシャッタの内面（磁気ディスク側の面）において、磁気ディスク側に位置する面と段差面との連接部、すなわちエッジが磁気ディスクのデータエリアと接触して、データエリアに傷を付ける虞があった。
【００１０】
本発明は上記問題に鑑みてなされたものであり、段差が形成されたシャッタを備えた磁気ディスクカートリッジにおいて、磁気ディスクカートリッジをドライブに挿入する際等に、シャッタに形成された段差によりデータエリアに傷がつけられることを防止した磁気ディスクカートリッジを提供することを目的とするものである。
【００１１】
【課題を解決するための手段】
本発明による磁気ディスクカートリッジは、開口部が設けられたハウジング内に、センタコアに固着されたフレキシブルな磁気ディスクと、磁気ディスクの中心と略同位置を中心に回転して開口部を開閉するシャッタとを収容し、シャッタの磁気ディスクのデータエリアを有する面と対向する一面が、ハウジング側に位置する面と、磁気ディスク側に位置する面と、両面を連接する段差面とを備えたものである磁気ディスクカートリッジにおいて、磁気ディスク側に位置する面と段差面との連接部が、磁気ディスクのデータエリアを有する面と直交する方向において、データエリア外に設けられていることを特徴とするものである。
【００１２】
本発明において「ハウジング側に位置する面と、磁気ディスク側に位置する面」とは、シャッタの磁気ディスクと対向する面を磁気ディスク側から見た際の相対的な位置関係を示したものである。
【００１３】
【発明の効果】
本発明による磁気ディスクカートリッジは、磁気ディスクのデータエリアを有する面と対向する面に、ハウジング側に位置する面と、磁気ディスク側に位置する面と、両面を連接する段差面とが形成されたシャッタを備えた磁気ディスクカートリッジにおいて、磁気ディスク側に位置する面と段差面との連接部を、磁気ディスクのデータエリアを有する面と直交する方向において、データエリア外に設けることにより、磁気ディスクカートリッジをドライブに挿入する際や、磁気ディスクカートリッジを落下させた際等に連接部が磁気ディスクと接触してもデータエリアに接触することがなくなるため、データエリアに傷がつけられることを防止することが可能となる。
【００１４】
【発明の実施の形態】
以下、本発明の実施の形態について図面とともに詳細に説明する。図１は、ＰＣカード型ドライブ装置に対し押込み・引出し形式で着脱される「ｃｌｉｋ！（登録商標）」と呼ばれる超小型の磁気ディスクカートリッジを示し、図１（ａ）はその平面図、図１（ｂ）は右側面図、図１（ｃ）は底面図であり、図２は図１（ａ）中のＩＩ−ＩＩ線断面図である。なお、理解を容易にするために、図２においては各部材の寸法比率を変えて示してある。
【００１５】
図３は、本発明によるＰＣカード型ドライブ装置の本体を示す平面図で、このドライブ装置は、図示のドライブ装置本体２０と、本体２０と略同型の平面形状を備えて本体２０上に被せられる金属製上蓋（図示は省略）とから構成されている。
【００１６】
図１に示す磁気ディスクカートリッジ１は、押込み部２ａを含む樹脂製のフレーム２と、金属薄板からなる上下シェルハーフ３、４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【００１７】
上記ハウジングには、図３に示すドライブ装置本体２０が備えている磁気ヘッド２７を磁気ディスク５の表面にアクセスさせるためのＶ字状の開口６と、この開口６を開閉する略円弧状のロータリーシャッタ７とが設けられている。ロータリーシャッタ７は上シャッタハーフ１３と下シャッタハーフ１４とからなり、両者を係合させることにより一体的に可動するように構成されている。ロータリーシャッタ７は、ハウジング内に設けられた小径の細長いコイルばね（図示は省略）によって閉方向（図１（ａ）の反時計方向）にばね付勢されている。
【００１８】
上シャッタハーフ１３は、上シェルハーフ３にバーリング加工により形成された円筒状の突起３ａを、上シャッタハーフ１３に形成された軸受部１３ｅに挿通した後、突起３ａの先端に抜止部材３ｂを固着することによって、上シェルハーフ３により突起３ａを中心に回転自在に保持されている。
【００１９】
また、下シャッタハーフ１４は、下シャッタハーフ１４にバーリング加工により形成された円筒状の突起１４ｅを、下シェルハーフ４に形成された軸受部４ａに挿通した後、突起１４ｅの先端にカシメ加工を施すことによって、下シェルハーフ４により軸受部４ａを中心に回転自在に保持されている。
【００２０】
上下シャッタハーフ１３、１４はそれぞれ上下シェルハーフ３、４側に位置する面部と、磁気ディスク５側に位置する面部と、両面を連接する段差面部とを有し、各面同士の連接部が略同心円上になるように構成された段差が形成されている。なお、上下シェルハーフ３、４側に位置する面部がロータリーシャッタ７の回転の中心側となるように段差が形成されている。
【００２１】
ここで、磁気ディスク５は、境界半径ｒｄから内側が非データエリア、外側がデータエリアとなっているため、上下シャッタハーフ１３、１４の磁気ディスク５側に位置する面１３ｃ、１４ｃと、段差面１３ｂ、１４ｂとの連接部１３ｄ、１４ｄは、中心から連接部１３ｄ、１４ｄまでの半径ｒｓが、磁気ディスク５のデータエリア面と直交する方向において境界半径ｒｄより内側となるように構成されている。
【００２２】
具体的には、ｃｌｉｋ！（登録商標）において上記境界半径ｒｄは９ｍｍであるため、中心から連接部１３ｄ、１４ｄまでの半径ｒｓを８．５ｍｍとしている。
【００２３】
そのため、磁気ディスクカートリッジ１をドライブ装置本体２０に挿入する際や、磁気ディスクカートリッジ１を落下させた際等に連接部１３ｄ、１４ｄが磁気ディスク５と接触してもデータエリアに接触することがなくなるため、データエリアに傷がつけられることを防止することが可能となる。
【００２４】
ハウジングの左側面先端部には、ドライブ装置本体２０内の係合部材２９に係合させて、ドライブ装置本体２０内での位置決めを確実にするためのノッチ８が形成され、右側面先端部には、ロータリーシャッタ７を閉位置にロックするシャッタロック部材１１を外部に臨ませる小窓９が形成されている。なお、図１はロータリーシャッタ７が閉位置にロックされている状態を示す。
【００２５】
ハウジングの下シェルハーフ４には、磁気ディスク５のセンタコア１０にドライブ装置本体２０の回転スピンドル２３を結合させるための円形の開口部４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【００２６】
ロータリーシャッタ７を閉位置にロックするシャッタロック部材１１は、ハウジングに設けられた軸１２に回動自在に取り付けられているとともに、ロータリーシャッタ７をロックする方向にばね付勢されている。そして、磁気ディスクカートリッジ１がドライブ装置本体２０へ挿入される際に、ドライブ装置本体２０側に設けられたロック解除部材１９が小窓９を通してこのシャッタロック部材１１を押圧することにより、ロック部材１１がロック解除方向に僅かに回動されて、ロータリーシャッタ７のロックが解除されるように構成されている。
【００２７】
図３に示すドライブ装置本体２０は、幅５３ｍｍ、奥行き８５ｍｍ、厚さ５ｍｍの寸法を有するＴＹＰＥＩＩ  ＰＣカード型ドライブ装置から金属製上蓋を除去したものであり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００２８】
さらにドライブ装置本体２０は、磁気ディスクカートリッジ１のノッチ８に係合する係合部材２９を備えたプッシュ・プッシュ式のカートリッジ係止・排出機構２８と、このドライブ装置本体２０が装填されるデジタルカメラ、パソコン等の電子機器に対する入出力インターフェース３０とを備えている。
【００２９】
ドライブ装置本体２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００３０】
そして、磁気ディスクカートリッジ１がドライブ装置のスロット２１に挿入されると、先ずロック解除部材１９がシャッタロック部材１１を押圧し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がその付勢用コイルばねを圧縮しながら開位置まで回動され、同時に、磁気ディスクカートリッジ１のノッチ８にドライブ装置本体２０の係合部材２９が係合して、磁気ディスクカートリッジ１は、ドライブ装置本体２０内の所定位置に収納される。
【００３１】
一方、磁気ディスクカートリッジ１をドライブ装置から取り出すときには、磁気ディスクカートリッジ１の押圧部２ａを押圧することによって、カートリッジ係止・排出機構２８が磁気ディスクカートリッジ１を押し出すとともに、圧縮されたロータリーシャッタ付勢用コイルばねによってエジェクト時の初速が確保され、かつ磁気ディスクカートリッジ１の引き出しに伴ってロータリーシャッタ７は上記コイルばねの付勢力により閉位置まで回動されて、シャッタロック部材１１によりロックされるように構成されている。
【００３２】
なお、本実施の形態においては、ロータリーシャッタに形成された段差のうち、ハウジング側に位置する面を中心側となるようにし、さらに連接部を磁気ディスクのデータエリアの内側となるように構成したが、本発明による磁気ディスクカートリッジはこのような態様に限定されるものではなく、ハウジング側に位置する面を外周側となるようにしてもよいし、また、連接部を磁気ディスクのデータエリアの外側となるようにしてもよい。
【図面の簡単な説明】
【図１】本発明の一実施の形態による磁気ディスクカートリッジの平面図（ａ）、右側面図（ｂ）および底面図（ｃ）
【図２】図１（ａ）におけるＩＩ−ＩＩ線断面図
【図３】上記磁気ディスクカートリッジに対応したＰＣカード型ドライブ装置のドライブ装置本体平面図
【符号の説明】
１    磁気ディスクカートリッジ
２    フレーム
３    上シェルハーフ
４    下シェルハーフ
５    磁気ディスク
７    ロータリーシャッタ
１０    センタコア
１３    上シャッタハーフ
１４    下シャッタハーフ
２０    ドライブ装置本体
【図１】
2004295935.tif 000003
【図２】
2004295935.tif 000004
【図３】
2004295935.tif 000005